(57)【要約】【課題】前ガードと後ガードとの固定を容易に行うことができ、かつ、前ガードが容易に外れることのないファンガード装置及びそれを備えた扇風機を提供すること。【解決手段】送風用のファン２の前方を覆う前ガード５と、ファン２の後方を覆う後ガート４とでファン２を包囲するファンガード装置において、前ガード５と後ガード４との間には、両ガードの相対的移動により係合し、両ガードの前後分離方向への移動を阻止する係合手段（１３，２６）が設けられており、前ガード５及び後ガード４の何れか一方には、固定ピン６をスライド可能に支持する支持部（貫通孔１４）が設けられ、他方には、係合手段（１３，２６）が係合した状態で固定ピン６が挿入される挿入部（溝２９）が設けられており、固定ピン６が挿入部（溝２９）に挿入されることにより、両ガードの相対的移動が阻止される。【選択図】図８
2013163997.tif 000002
【特許請求の範囲】
【請求項１】
送風用のファンの前方を覆う前ガードと、前記ファンの後方を覆う後ガートとで前記ファンを包囲するファンガード装置において、
前記前ガードと前記後ガードとの間には、両ガードの相対的移動により係合し、前記両ガードの前後分離方向への移動を阻止する係合手段が設けられており、
さらに、前記両ガードの相対的移動を阻止する固定ピンが備えられており、
前記前ガード及び前記後ガードの何れか一方には、前記固定ピンをスライド可能に支持する支持部が設けられ、他方には、前記係合手段が係合した状態で前記固定ピンが挿入される挿入部が設けられており、
前記固定ピンが前記挿入部に挿入されることにより、前記両ガードの相対的移動が阻止されることを特徴とするファンガード装置。
【請求項２】
前記前ガードと前記後ガードの少なくとも何れか一方は、筒状の側面カバーを備えてなる、請求項１に記載のファンガード装置。
【請求項３】
前記固定ピンは、前記側面カバーの内面に沿って前記前後分離方向にスライド可能に支持されてなる、請求項２に記載のファンガード装置。
【請求項４】
前記前ガードには前記挿入部が設けられ、前記後ガードには前記側面カバーが備えられており、
前記固定ピンは、前記側面カバーの内面側に前記後ガードの後方から挿入しスライド可能に支持されてなる、請求項３に記載のファンガード装置。
【請求項５】
前記固定ピンの前記挿入部に挿入される側とは反対側端部は、
前記固定ピンが前記挿入部に挿入された状態で前記後ガードの周縁部の端面に対して、少なくとも面一に収まるように形成されている、請求項４に記載のファンガード装置。
【請求項６】
前記反対側端部はつまみを有し、前記固定ピンが前記挿入部に挿入された状態で、前記つまみと、前記後ガードの周縁部の端面との間に隙間を有する、請求項４又は５に記載のファンガード装置。
【請求項７】
前記固定ピンの当該固定ピンの挿入方向とは反対方向へのスライドを所定範囲に規制する固定ピン抜け止め手段を備えてなる、請求項１〜６の何れか１項に記載のファンガード装置。
【請求項８】
請求項１〜７の何れか１項に記載のファンガード装置を備える扇風機。
【発明の詳細な説明】
【技術分野】
【０００１】
本発明は、送風用のファンを覆うファンガードを自在に着脱可能な扇風機に関する。
【背景技術】
【０００２】
送風用のファンを覆うファンガードの固定機構としては、例えば特許文献１や２に記載されたものがある。
【０００３】
特許文献１の第１図及び第２図には、クリップ１０３によって前ガード１０１を後ガード１０４に取り付けるファンガードが記載されている。また、第３図には、後ガード４のリング６に形成されたＬ字型の切欠き５と、前ガード１のリング３から突出したリベット２とを嵌合させた後、後ガード４を周方向に回転させることによって、後ガード４を前ガード１に取り付けるファンガードが記載されている。
【先行技術文献】
【特許文献】
【０００４】
【特許文献１】実開昭５９−１０７０９９号
【発明の概要】
【発明が解決しようとする課題】
【０００５】
しかしながら、特許文献１の第１図及び第２図に記載されたファンガードにおいては、固定機構がクリップ式であるため子供の悪戯等によりクリップに指が引っ掛かった場合にクリップが簡単に外れてしまう問題があり、美観も悪い。また、第３図に記載されたファンガードにおいては、扇風機の転倒等により解除方向に力が加わると簡単に外れてしまう問題がある。
【０００６】
本発明は、上記実情に鑑みてなされたものであって、その目的は、前ガードと後ガードとの固定を容易に行うことができ、かつ、ガードが簡単に外れることのないファンガード装置及びそれを備えた扇風機を提供することである。
【課題を解決するための手段】
【０００７】
本発明のファンガード装置は、送風用のファンの前方を覆う前ガードと、前記ファンの後方を覆う後ガートとで前記ファンを包囲するファンガード装置において、前記前ガードと前記後ガードとの間には、両ガードの相対的移動により係合し、前記両ガードの前後分離方向への移動を阻止する係合手段が設けられており、さらに、前記両ガードの相対的移動を阻止する固定ピンが備えられており、前記前ガード及び前記後ガードの何れか一方には、前記固定ピンをスライド可能に支持する支持部が設けられ、他方には、前記係合手段が係合した状態で前記固定ピンが挿入される挿入部が設けられており、前記固定ピンが前記挿入部に挿入されることにより、前記両ガードの相対的移動が阻止されるものである。
【発明の効果】
【０００８】
本発明によれば、前ガードと後ガードとが２つの固定機構により固定され、いずれの固定も煩雑な操作を必要としないので、前ガードと後ガードの固定を容易に行うことができ、かつ、ガードが簡単に外れることもない。
【図面の簡単な説明】
【０００９】
【図１】本発明の実施形態に係る扇風機の分解斜視図である。
【図２】図１に示す後ガードのＡ部拡大図である。
【図３】（ａ）は、図１に示す前ガードの側面図であり、（ｂ）は、図１に示す前ガードの背面図である。
【図４】図１に示す前ガードのＢ部拡大図である。
【図５】図１に示す後ガードのＣ部拡大図である。
【図６】図３（ｂ）に示す前ガードのＤ部拡大図である。
【図７】第１の固定後かつ第２の固定前の前ガード、後ガード、及び固定ピンの合成断面図である。
【図８】第１の固定後かつ第２の固定後の前ガード、後ガード、及び固定ピンの合成断面図である。
【図９】（ａ）は、図１に示す固定ピンを表側から見た斜視図、（ｂ）は、固定ピンの凸部付近の正面図、（ｃ）は、固定ピンを裏側から見た斜視図である。
【発明を実施するための形態】
【００１０】
以下、本発明を実施するための形態について図面を参照しつつ説明する。図１は、本発明の実施形態に係る扇風機１の分解斜視図である。
【００１１】
〔扇風機１の構成〕
図１に示すように、本発明の扇風機１は、ファン２、本体３、後ガード４、前ガード５、固定ピン６、後ガード締付ナット７、及びスピンナー８を有している。後ガード４に前ガード５を取り付け、固定されるファンガードは、前面、側面、背面から成り、略両端を閉じた筒状体となる。なお、本発明においては、前ガード５と後ガードとを合わせて両ガードと称することがある。
【００１２】
（ファン２）
ファン２は、複数の羽根を有し、モータ３ｂの駆動により回転するファンである。ファン２は、図１に示すとおり、後ガード４が本体３に取り付けられた後、スピンナー８で締め付けられることにより、本体３に固定される。
【００１３】
（本体３）
本体３は、床などに載置される土台部分であり、ファン２を回転させる回転軸３ａと回転軸３ａを介してファン２を回転駆動するモータ３ｂとを含む。さらに、ファン２を回転駆動させるモータ３ｂの左右中央部を支持すると共に上下方向に回動させる回動機構を備えるＵ字状の把持部９を備え、回転軸３ａを上方に垂直に回動させることができる。
【００１４】
（後ガード４）
後ガード４は、樹脂や金属等によって格子状に形成された外周形状が円形の背面カバー１１とこの背面カバー１１の外周から回転軸３ａの軸方向に沿って延在する筒状の側面カバー１２（周縁部）とを含み、これらカバーによりファン２の後方を覆っている。後ガード４は、背面カバー１１の中央に形成された孔１１ａが回転軸３ａに挿入された後、後ガード締付ナット７で締め付けられることにより、本体３に固定される。なお、固定時には、背面カバー１１に形成された３つの孔１１ｂが本体３に形成された３つの突起３ｃ（図１では、突起３ｃのうちの１つにのみ符号を付している）に係止するので、後ガード４は本体３に対して位置決めされる。
【００１５】
（前ガード５）
前ガード５は、樹脂や金属等によって格子状に形成された外周形状が円形の前面カバー２１と前面カバー２１の外周から回転軸３ａの軸方向に沿って延在する側面カバー２２（周縁部）とを含み、これらカバーによりファン２の前方を覆っている。前ガード５は、側面カバー２２が後ガード４の側面カバー１２に固定されることにより、後ガード４に着脱自在に取り付けられる。
【００１６】
なお、本実施形態においては、後ガード４の側面カバー１２を前ガード５の側面カバー２２よりも長くしているが、それに限られるものではなく、側面カバー１２が側面カバー２２よりも短くてもよいし、側面カバー１２と側面カバー２２とが同等の長さであってもよい。
【００１７】
〔前ガード５と後ガード４の固定〕
次に、図２〜図９を参照しつつ前ガード５と後ガード４との固定について詳しく説明する。本実施形態において、前ガード５と後ガード４との固定は、仮止め状態としての第１の固定と第２の固定とに分かれている。
【００１８】
（仮止め状態としての第１の固定）
まず、仮止め状態としての第１の固定について詳細は後述するが、前ガード５と後ガード４の相対的移動により係合し、前ガード５と後ガード４の前後分離方向（図１においては、回転軸３ａの軸方向）への移動を阻止する係合手段が設けられている。第１の固定について主に図２〜図４を参照しつつ説明する。図２は、図１に示した後ガード４のＡ部拡大図である。図２に示すように、後ガード４の側面カバー１２には、係合爪１３（係合手段）が設けられている。係合爪１３（係合手段）は、側面カバー１２の端部１２ｂ（前ガード５が取り付けられる側の端部）、かつ側面カバー１２の内面側に形成されている。そして、側面カバー１２の径方向に突出するように設けられている。なお、図２においては、１つの係合爪１３を示しているが、この係合爪１３は、端部１２ｂの周縁に沿って等間隔（７２°毎）に５つ設けられている。但し、係合爪１３の数は適宜選択可能である。
【００１９】
図３（ａ）は、前ガード５の側面図であり、（ｂ）は、前ガード５の背面図である。図３（ａ）に示すように、前ガード５の側面カバー２２は、第１側面２３と、第２側面２４と、第３側面２５とに分かれている。第１側面２３は、後ガード４の側面カバー１２に固定される側面である。そして、第１側面２３が側面カバー１２の内周側に嵌合されるよう、第１側面２３の外径は、側面カバー１２の内径（特に端部１２ｂ付近での内径）よりも小さくされている。また、第１側面２３には、係合爪１３に対応する係合溝２６（係合手段）が第１側面２３の外周に沿って等間隔（７２°毎）に５つ設けられている。図３（ａ）では、５つの係合溝２６のうちの２つを示している。なお、係合溝２６の数は、係合爪１３と同数以上であれば、適宜選択可能である。第２側面２４は、後ガード４の側面カバー１２の内径（特に端部１２ｂ付近での内径）よりも外径が大きい側面であり、側面カバー１２の外径と略同じである。第３側面２５は、前ガード５を後ガード４に着脱する際にユーザが操作する操作面となる側面である。なお、第３側面２５には、内側と外側に周方向に全域にわたって、滑り止めの凹凸が形成されている。
【００２０】
図４は、図１に示した前ガード５のＢ部拡大図（即ち、係合溝２６の拡大図）である。図４に示すように、係合溝２６（係合手段）は、凹部２７、及び鉤部２８により形成される切欠き溝である。凹部２７は、一端面２７ａ、切欠き面２７ｂ、他端面２７ｃ（側端面）、鉤部２８の先端面２８ａ、鉤部２８の内面２８ｂ、及び鉤部２８のテーパ面２８ｃとにより区切られる部分であり、第１側面２３の径方向に対しては貫通している（係合爪１３の形状によっては貫通させないことも可能である）。凹部２７において、一端面２７ａから鉤部２８の先端面２８ａまでの幅は係合爪１３が嵌まり込むことができるよう係合爪１３の幅１３ａ（図２参照）よりも大きくされている。また、第１側面２３の一端２３ａから切欠き面２７ｂまでの奥行きは、係合爪１３の厚み１３ｂ（図２参照）よりも大きくされている。なお、鉤部２８の内面２８ｂから切欠き面２７ｂまでの幅は、係合爪１３の厚み１３ｂ（図２参照）と略同じである。次に、鉤部２８は、凹部２７の他端面２７ｃ（側端面）から突出した突起であり、凹部２７の他端面２７ｃから先端面２８ａまでの長さは、係合爪１３の幅１３ａ（図２参照）と略同じとしてある。但し、幅１３ａより大きくても小さくてもよい。
【００２１】
前記した係合爪１３と係合溝２６とが係合することにより、第１の固定が行われる。具体的には、まず、前ガード５の凹部２７（凹部２７のうち一端面２７ａから鉤部２８の先端面２８ａまでの開口部）と後ガード４の係合爪１３との位置を合わせ（扇風機１を正面側から見た場合において凹部２７と係合爪１３とが重なるようにする）、前ガード５を後ガード４側に押し込むことにより、凹部２７を係合爪１３に嵌合させ、凹部２７の切欠き面２７ｂを係合爪１３の腹１３ｃ（図２参照）に当接させる。これは、即ち、周縁部同士（側面カバー２２と側面カバー１２）を所定の位置に合わせることを意味する。そして、前ガード５を周方向（周方向のうち、特に扇風機１を正面側から見た場合において左回り）に所定角度回転させることによって、係合爪１３と鉤部２８とが噛み合い、係合爪１３と係合溝２６とが係合され、前ガード５が後ガード４に固定される。以上のようにして、前ガード５と後ガード４との第１の固定が完了する。なお、所定角度とは、当該所定の位置や他端面２７ｃから先端面２８ａまでの長さにより決まる。
【００２２】
（第１の固定の変形例）
本実施形態においては、係合爪１３を側面カバー１２の内周面に形成したが、側面カバー１２の外周面に形成してもよい。また、側面カバー１２に係合溝２６を設け、側面カバー２２に係合爪１３を設けてもよい。但し、これら変形例の場合には、係合爪１３と係合溝２６とが係合される構成となるよう、適宜、側面カバー１２の外径及び内径の一方と側面カバー２２の当該他方との大小関係を調整する必要がある。
【００２３】
また、後ガード４に側面カバー１２を設けず、係合爪１３を背面カバー１１の外周から径方向外側に突出させてもよい。但し、この変形例の場合には、係合爪１３と係合溝２６とが係合される構成となるよう、背面カバー１１の外径（係合爪１３を除く部分）を、前ガード５の側面カバー２２の内径よりも小さくする必要がある。なお、この変形例の場合には、後ガード４の周縁部は、背面カバー１１の一部であって、背面カバー１１の外周全てを含む部分となる。
【００２４】
また、係合爪１３が前ガード５に設けられる場合においては、前ガード５に側面カバー２２を設けず、係合爪１３を前面カバー２１の外周から径方向外側に突出させてもよい。但し、この変形例の場合には、係合爪１３と係合溝２６とが係合される構成となるよう、前面カバー２１の外径（係合爪１３を除く部分）を、後ガード４の側面カバー１２の内径よりも小さくする必要がある。なお、この変形例の場合、前ガード５の周縁部は、前面カバー２１の一部であって、前面カバー２１の外周全てを含む部分となる。
【００２５】
また、ファンガードは、ファン２の前方を覆う前ガード５と、ファン２の後方を覆う後ガード４とで、ファン２を包囲し、前ガード５と後ガード４のいずれかに、側面カバー(１２,２２)を設けたもの、もしくは前ガード５と後ガード４双方共に、側面カバー（１２,２２）設けたものであり、全体として、略両端を閉じた筒状体を形成している。
【００２６】
なお、本実施形態においては、係合爪１３と係合溝２６とを係合させることにより、第１の固定を行ったが、第１の固定は上記方法に限られるものではない。例えば、前ガード５及び後ガード４の一方に雄ねじを設け、他方に当該雄ねじに対応する雌ねじ設けて、雄ねじと雌ねじとを螺合させることにより、第１の固定を行ってもよい。
【００２７】
また、本実施形態においては、前ガード５を周方向に所定角度回転させることによって、前ガード５が後ガード４に固定される前面、側面、背面から成り、両端を閉じた円筒状体となるファンガードについて述べたが、例えば、ファン２の前方を覆う四角い板状前ガードと、ファン２の後方を覆う四角い器状の後ガードから成り、前ガード５には両端に１本づつレールを設け、後ガード４の器の開口に対して、スライドして仮止めされるように、後ガード４の器の開口に、レールに対応する２本の終端を有するガイドを設けた構成にするなど適宜、両ガードの相対的移動により係合させ仮止めするファンガードを適用できる。
【００２８】
（第２の固定）
次に、詳細は後述するが第２の固定は、前ガード５もしくは後ガード４の一方には溝２９（挿入部）を設け、他方には、上述した仮止め状態としての第１の固定である係合手段の係合状態で、溝２９（挿入部）に挿入され、両ガード５、４の上述した相対的移動（周方向に所定角度回転）を阻止する固定ピン６により固定されるものである。第２の固定の詳細について主に図５〜図９を参照しつつ説明する。図５は、図１に示した後ガード４のＣ部拡大図である。図５に示すように、後ガード４の側面カバー１２（周縁部）には、内部に固定ピン６（図１、図９参照）が挿通する貫通孔１４（図７も併せて参照）が形成された筐体１５（支持部、固定機構）が設けられている。なお、筐体１５の成形方法は特に限定されないが、側面カバー１２と一体に形成されてもよいし、背面カバー１１と一体に形成されてもよい。また、これらカバーとは別体で形成され、側面カバー１２に取り付けられてもよい。但し、いずれの場合においても、筐体１５は、後ガード４の側面カバー１２（周縁部）の一部とみなす。
【００２９】
筐体１５は、固定ピン６の挿通方向（即ち、貫通孔１４の軸方向）が回転軸３ａ（図１参照）の軸方向に沿うように形成されている。また、誤って取り外されないように、或いは、美観の観点から、筐体１５は後ガード４を本体３に固定した際に後ガード４の下端となる位置に形成されている。但し、その他の位置に形成されてもよい。また、筐体１５は１つであるが、複数あってもよい。
【００３０】
図６は、図３（ｂ）に示した前ガード５（背面図）のＤ部拡大図である。前ガード５の背面かつ下端には、固定ピン６が挿入される溝２９が形成されている。溝２９（挿入部）は、筐体１５と対応する位置（それぞれのガードの下端）に設けられており、前ガード５と後ガード４との第１の固定が行われることによってのみ貫通孔１４と連通するようになっている。
【００３１】
次に、第２の固定の仕組みについて、図７〜図９を参照しつつ説明する。図７は、第１の固定後かつ第２の固定前の前ガード５、後ガード４、及び固定ピン６の合成断面図である。図８は、第１の固定後かつ第２の固定後の前ガード５、後ガード４、及び固定ピン６の合成断面図である。これら合成断面図は、図５に示すVII（VIII）-VII（VIII）方向から見た断面に相当する断面図である（即ち、図５に示す貫通孔１４に固定ピン６を挿通し、かつ、前ガード５と後ガード４とを第１の固定により固定したときのVII（VIII）-VII（VIII）方向から見た合成断面図である）。なお、図９（ａ）は、図１に示す固定ピン６を表側から見た斜視図であり、（ｂ）は固定ピン６の凸部３１付近の正面図であり、（ｃ）は固定ピン６を裏側から見た斜視図である。
【００３２】
固定ピン６は、側面カバー１２の内面に沿って前後方向にスライド可能に支持される。図７に示すように、前ガード５と後ガード４とは、前ガード５の第１側面２３が後ガード４の側面カバー１２の内側に嵌まり込むようにして固定されている。また、前記した第１の固定により、前ガード５に形成された溝２９は、貫通孔１４と連通している。そして、貫通孔１４に挿通された固定ピン６がこの溝２９に挿入されることにより第２の固定が行われる。具体的には、ユーザが貫通孔１４に挿通された固定ピン６を後ガード４の後方から固定ピン６の挿通方向（図７中の矢印Ｅ方向）に押し込むことにより、固定ピン６が溝２９に挿入され第２の固定が完了する（完了後の状態については図８参照）。第２の固定の完了により、第１の固定の解除方向への前ガード５の回転が規制される。即ち、前ガード５を第１の固定の解除方向（扇風機１を正面側から見た場合において右回り）に回転させようとしても、固定ピン６が溝２９の側端に引っ掛かり、第１の固定が解除されなくなる。
【００３３】
（固定ピン６の固定）
固定ピン６は、溝２９に挿入されるのと同時に筐体１５に固定される。具体的には、固定ピン６が溝２９に挿入される際に、固定ピン６の側面（固定ピン６の外周面のうち、挿通方向と対向する面及び挿通方向とは反対方向と対向する面を除く面）のうちの一つの面に設けられた山形の凸部３１が、貫通孔１４を区切る（画定する）筐体１５の内周面のうち当該一つの面と対向する面に設けられた山形の凸部１６を乗り越えて、これら凸部同士が係合することにより、固定ピン６の先端が溝２９に挿入された状態で保持される（図８参照）。その結果、挿通方向とは反対方向に一定の作用力以上の力を加えない限り、当該係合が解除されないようになる。なお、ここでいう「係合」には、凸部同士が係合している状態の他、凸部３１が凸部１６よりも前ガード５側に位置している状態も含む。一方、挿通方向とは反対方向（Ｅ方向とは反対方向）に一定の作用力以上の力が加えられた場合には、凸部３１が凸部１６を再度乗り越えて当該係合は解除される。よって、固定ピン６を溝２９に自在に抜き差し可能となる。
【００３４】
また、凸部３１は、固定ピン６の挿通方向（Ｅ方向）と直交する方向において弾性変位可能であるように形成されている。具体的には、凸部３１の周囲に固定ピン６の厚み方向に貫通したコ字型の切り込み３１ａ（図９（ｂ）参照）が入れられている。そのため、凸部３１が凸部１６を乗り越える際に、凸部３１が挿通方向と直交する方向に弾性変位するので、大きな作用力を要することなく、固定ピン６の溝２９への抜き差しを行うことができる。なお、弾性変位可能な形状は、上記に示した形状に限定されるものではない。また、凸部３１の代わりに、又は凸部３１に加えて、凸部１６も弾性変位可能な形状としてもよい。その結果、より小さな作用力で固定ピン６の溝２９への抜き差しを行うことができるようになる。なお、凸部１６は上記のような弾性変位可能な形状とせず、単に凸が形成されているだけであってもよい。
【００３５】
本実施形態においては、凸部３１と凸部１６との係合により固定ピン６を筐体１５に固定したが、固定ピン６と筐体１５とが凹凸により係合されていれば、当該係合は上記実施形態に限られるものではない。この凹凸の係合の例としては、凸部同士を係合させることの他、固定ピン６の側面及び貫通孔１４を区切る筐体１５の内周面の一方を凸部とし、他方を凹部としてこれら凹凸を係合させることも含まれる。なお、固定ピン６と筐体１５との固定は、凹凸による固定に限定されるものではない。
【００３６】
（固定ピン６の落下防止）
また、固定ピンの当該固定ピンの挿入方向とは反対方向へのスライドを所定範囲に規制する固定ピン抜け止め手段を備えている。具体的には、筐体１５の内部に、固定ピン６が挿通方向とは反対方向（Ｅ方向とは反対方向）に抜け落ちることがないように、段差１７が設けられている。段差１７は、図７に示すように、挿通方向とは直交方向に形成された段差である（直交方向に限られるものではない）。そのため、固定ピン６が当該反対方向に抜き出されても、固定ピン６の凸部３１が段差１７に保持されて、固定ピン６がそれ以上当該反対方向に移動できないようになっている。その結果、固定ピン６の当該反対方向への抜け落ちを確実に抑制できる。また、段差１７よりも当該反対方向側には、スロープ１８が設けられており、固定ピン６を貫通孔１４に挿通する際には、大きな作用力を要することなく挿通できるようにされている。なお、この段差はなくてもよい。また、固定ピン６に凸部１６と係合する凸部３１が設けられていない場合には（凹部が設けられている場合等）、凸部１６とは係合せず段差１７には保持される凸を設けて、固定ピン６が段差１７に保持されるようにしてもよい。
【００３７】
また、図８に示すように、固定ピン６の一端はつまみ３２を有している。このつまみ３２には、突起３３が設けられており、この突起３３は、固定ピン６が溝２９に挿入されている場合には（即ち、図８の状態）、筐体１５の一端面１９との間に間隙ｄ（隙間）を有する箇所に位置し、ユーザが隙間ｄに指を入れ、突起３３の下端３３ａを引っ掛けることで、固定ピン６を溝２９から容易に抜き出すことができるようになっている。なお、このとき、つまみ３２の端面である円弧状部は、後ガードの周縁部(筐体１５)の端面である円弧状部に対して、面一に収まっており、何れの方向からもファンガードの周縁部が剥き出しになる、回転軸３ａを上方に垂直に回動させた状態であっても、ユーザが誤ってつまみ部に引っ掛けることがない。また、第２の固定機構の全てがガード内に収まり、扇風機１の美観を損ねることもない。一方で、突起３３の下端３３ａは、一端面１９の上端１９ａよりも下方側に位置しており、前記した第１の固定及び第２の固定がされていない場合に（即ち、前ガード５と後ガード４とが取り外されている場合に）、固定ピン６が挿通方向（Ｅ方向）に移動しても、突起３３が一端面１９に当接して、固定ピン６が挿通方向に抜け落ちることが防止される。なお、つまみ３２は設けられていなくてもよい。
【００３８】
（第２の固定の変形例）
本実施形態においては、貫通孔１４（筐体１５）を後ガード４の側面カバー１２に設け、溝２９を前ガード５の側面カバー２２に設けたが、貫通孔１４と溝２９とをそれぞれ逆のガードに設けてもよい。
【００３９】
また、本実施形態においては、固定ピン６の挿通方向（貫通孔１４の軸方向）が回転軸３ａの軸方向に沿うように貫通孔１４を形成したが、第１の固定における周方向とは異なる方向であれば、固定ピン６の挿通方向（貫通孔１４の軸方向）は、回転軸３ａの軸方向に限られない。
【００４０】
例えば、側面カバー１２と第１側面２３とが嵌合する部分において、側面カバー１２に径方向に貫通する貫通孔を設けて、固定ピン６の挿通方向（貫通孔１４の軸方向）を回転軸３ａと直交する方向にしてもよい。その場合、第１側面２３に固定ピンが挿入される溝が設けられ、固定ピン６は側面カバー１２の外周より外側から挿通されることとなる。なお、固定ピン６の挿通方向（貫通孔１４の軸方向）から第１の固定における周方向を除外したのは、固定ピン６の挿通方向が当該周方向であると、第２の固定をしても、第１の固定の解除方向に前ガード５を回転させることが可能となり、第１の固定が解除されてしまうからである。
【００４１】
また、本実施形態においては、凸部３１を貫通孔１４を区切る筐体１５の内周面に設けたが、溝２９を区切る前ガード５の側面カバー２２の内周面に設けてもよい。また、凸部の代わりに溝２９を区切る前ガード５の側面カバー２２の内周面に凹部を設けてもよい。
【００４２】
さらに、上述したように、ファンガードは、前面、側面、背面から成り、略両端を閉じた筒状体であることで、例えば、側面カバー１２,２２と背面カバー１１の接する部分から背面カバー１１全域にかけての略フラットな部分や、側面カバー１２,２２と背面カバー１１の接する部分からから前面カバー２１全にかけての略フラット部分の背面カバー１１や前面カバー２１の径方向に、あるいは、輪になった帯状の側面カバー２２の回転軸３ａの軸方向に、固定ピン６を挿入して固定する固定機構（支持部）を設けることができる。すなわち、ファンガードの形状が、両端を閉じた筒状体であることで、ファンガードの内側あるいはファンガードの内部に固定機構を、容易に設けることができる。側面カバー２２の回転軸３ａの軸方向に固定機構を設けた場合、側面カバー２２の帯の幅分、固定ピン６を抜き差しするスペースを確保できる。
従来からある扁平球状のファンガードでは、ファンガードの外側にクリップなどを設けて外側から挟み込んで固定する以外に、ファンガードの内部に固定機構を設けることは、ファンガードの形状上、ファン２に近接させる必要があるなど困難であったが、両端を閉じた筒状体のファンガードであれば、上述したごとく、比較的送風に影響なく、容易に、ファンガードの内部に固定機構を設けることができ、固定機構は外部に露出する部分が少ない。
【００４３】
加えて、本実施形態においては、貫通孔１４部で、固定ピン６が側面カバー１２の内面に沿って前後方向にスライド可能に支持される例について述べたが、貫通孔１４に限らず、固定ピン６の挿入口から溝２９までの距離がある場合は、断続的、もしくは途中一部で固定ピン６を溝２９へガイドする部分が形成されていれば良く、また、孔に限らず、切欠きであっても良いし、別体でガイド部を設けても良い。
【００４４】
また、固定ピン６の落下防止する抜け止めの構造については、上述した実施形態では、固定ピン６の引き抜き方向については段差１７、固定ピン６の挿入方向については一端面１９に、固定ピン６のそれぞれ凸部３１と、つまみ３３が当接することで抜け止めしていたが、これに限らず、例えば、ガード側に抜き差し方向両端が閉じた溝を設け、この溝に固定ピン６の凸部３１を嵌め込み、固定ピン６の抜き差し移動により、固定ピン６の凸部３１が溝の両端までの所定範囲スライドさせるもの及び、固定ピン６に側に溝を設け、ガード側に凸部を設けるものなど、適宜、固定ピン６が溝２９に対して所定量スライドして挿入され、抜け落ちを防止するように構成することができる。
【００４５】
さらに、挿入部については、本実施形態では、溝２９の例について述べたが、溝２９に限らず、固定ピン６の先端が挿入されて、両ガードの相対的移動を阻止するものであれば良く、単に固定ピン６が挿入される穴が開いているもの、また、固定ピン６に抜け止めがあれば、貫通した孔であってもよく、さらには、切欠きであっても良く、固定ピン６の先端形状や、ガードの形状など実施態様に合わせて適宜変更可能である。
【００４６】
（効果１）
次に、本実施形態に示すファンガード装置及び扇風機の効果について説明する。本実施形態のファンガード装置は、前ガードと後ガードとの間には、両ガードの相対的移動により係合し、両ガードの前後分離方向への移動を阻止する係合手段が設けられており、さらに、両ガードの相対的移動を阻止する固定ピンが備えられており、前ガード及び後ガードの何れか一方には、固定ピンをスライド可能に支持する支持部が設けられ、他方には、係合手段が係合した状態で固定ピンが挿入される挿入部が設けられており、固定ピンが挿入部に挿入されることにより、両ガードの相対的移動が阻止される。
【００４７】
よって、両ガードの前後分離方向への移動を阻止する、両ガードの相対的移動による係合の仮止め状態での固定と、固定ピンによって両ガードの相対的移動を阻止する固定とにより前ガードが後ガードに取り付けられるので、ファンガードが簡単外れることがない。特に、仮止め状態での固定後でなければ固定ピンを挿入部に挿入して固定ができない構成である。そのため、ユーザは誤ったファンガードの取り付けを行うことがない。例えば、別個に操作できる２つの固定機構を備えた扇風機にあっては、ユーザによっては一方の固定がなされない可能性があるが、本発明の構成であれば必ず２つの固定がなされることとなり、前ガードが後ガードから外れにくい。また、仮止め状態での固定及び次の固定ともに、大きな作用力を要することがなく、かつ、工具を使用することもない。そのため、前ガードと後ガードとの固定を容易に行うことができる。さらに、仮止め状態での固定及び次の固定に用いられる固定機構は、外部に露出する部分が少ない。よって、子供の悪戯等によって、誤って固定機構が外されことが少ない。
【００４８】
（効果２）
また、前ガードと後ガードの少なくとも何れか一方は、筒状の側面カバーを備えている。筒状の側面カバーを利用して、ファンガードの内部に固定ピンによる固定機構を、外部に露出する部分が少なく設けることができる。
【００４９】
（効果３）
さらに、固定ピンは、筒状の側面カバーの内面に沿って前後分離方向にスライド可能に支持されている。側面カバーの幅分を用いて、固定ピンをスライドさせる領域十分に確保でき、筒状の側面カバーの（円形、四角などの）断面の形状に関わらず、側面カバーの内面に接して、中心部の送風ファン側へ接近させる必要もなく、送風性を損なうことがない。
【００５０】
（効果４）
加えて、前ガードには挿入部が設けられ、後ガードには側面カバーが備えられており、固定ピンは側面カバーの内面側に後ガードの後方から挿入しスライド可能に支持されている。通常、ファンの掃除や、ファンガードの掃除におけるファンガード取り外しにおいて、本体に固定された後ガードから前ガードを取り外すことが想定される。前ガードが前面と挿入部などシンプルな形状で、かつ他の部品を有さないものであるため、取り付け時、取り外し時、またはその途中で前ガードを壊すことも少なく、また、他の部品を紛失することもない。この構成で有れば、ユーザは固定ピンを後ガードに関係するものと認識するため、前ガードと共に移動して、固定ピンを紛失させることも抑制される。
【００５１】
（効果５）
また、固定ピンの挿入部に挿入される側とは反対側端部は、固定ピンが挿入部に挿入された状態で後ガードの周縁部の端面に対して、少なくとも面一に収まるように形成されている。固定ピン（固定機構）は、ファンガードから外部に露出する部分がない。そのため、ユーザによる引っ掛けなどで固定が解除されることがなく、また、ファンガードの美観もデザイン通りに美しくできる。
【００５２】
（効果６）
さらに、反対側端部はつまみを有し、固定ピンが挿入部に挿入された状態でつまみの前面と、前記後ガードの周縁部の端面との間に隙間を有している。ユーザが隙間に指を入れ、つまみを引っ掛けることで、固定ピンを挿入部から容易に抜き出すことができる。
【００５３】
加えて、固定も煩雑な操作を必要としないので、前ガードと後ガードの固定を容易に行うことができ、かつ、転倒等により解除方向に力が加わることでガードが簡単に外れることもない上述したファンガード装置を備えた扇風機を提供することができる。
【００５４】
（その他の効果）
また、貫通孔は、後ガードの周縁部に設けられ、かつ、固定ピンの挿通方向が回転軸の軸方向に沿うように形成されている。即ち、挿入部は、前ガードの周縁部に形成される。よって、後ガードの後方から挿入部に固定ピンが挿入されることとなる。その結果、固定ピンに接触しにくく、誤って固定機構が外されことが少ない。また、ファンの径方向に沿って貫通孔及び挿入部が設けられる場合に比べて、送風方向に対する貫通孔及び挿入部が占める部分が少ないので、送風性がよい。
【００５５】
（その他の効果）
また、貫通孔を区切る（画定する）周縁部の内周面及び挿入部を区切る（画定する）周縁部の内周面の一方、並びに固定ピンの側面には、固定ピンが挿入部に挿入される際には係合し、固定ピンが挿入部から抜き出される際には当該係合が解除される凹凸が設けられている。よって、第２の固定を行う際に、同時に固定ピンが貫通孔又は挿入部のいずれかと固定される。また、固定ピンを抜き出す際には当該固定が解除されるので、前ガードと後ガードを着脱自在とできる。
【００５６】
（その他の効果）
また、貫通孔を区切る周縁部の内周面及び挿入部を区切る周縁部の内周面の一方、並びに固定ピンの側面には、一方に凸部が設けられている。そして、凸部は、固定ピンの挿通方向と直交する方向において弾性変位可能であるように形成されている。よって、固定ピンの抜き差しを小さい作用力で行うことができる。
【００５７】
（その他の効果）
また、貫通孔を区切る周縁部の内周面には、固定ピンが貫通孔の挿入部と連通する側とは反対側に抜け落ちないように、固定ピンを保持する段差が形成されている。よって、固定ピンの当該反対側への抜け落ちを防止できる。
【００５８】
（その他の効果）
また、固定ピンの一端には、固定ピンが挿入部に挿入される際には貫通孔の両端部のうち反対側の端部と間隙を有し、第１の固定が行われていない場合には固定ピンが貫通孔の挿入部と連通する側に抜け落ちないように当該端部に係止するつまみが設けられている。よって、当該間隙に指を引っ掛けることで、固定ピンを挿入部から容易に抜き出すことができる。また、第１の固定が行われていない場合に（前ガードと後ガードとが取り外されている場合に）、固定ピンの挿通方向側への抜け落ちを防止できる。
【００５９】
（その他の効果）
前ガードの周縁部及び後ガードの周縁部に設けられる係合手段の一方が係合爪であり、他方が、係合爪が嵌合する凹部と、凹部の側端面から突出し、係合爪を凹部に嵌合させた状態で前ガードを周方向に所定角度回転させることによって、係合爪と噛み合う鉤部とからなる係合溝である。よって、簡易な操作で第１の固定を行うことができる。
【００６０】
以上、本発明の実施形態について説明したが、本発明は上述の実施の形態に限られるものではなく、特許請求の範囲に記載した限りにおいて様々に変更して実施することができるものである。
【００６１】
本実施形態においては、床等に載置して使用される載置式の扇風機及びそれに備えられるファンガード装置を示したが、本発明の扇風機は、部屋の空気を循環させるサーキュレータ、本体が天井等に取り付けられて使用される取付式の扇風機など他の扇風機にも利用できる。
【符号の説明】
【００６２】
１  扇風機
２  ファン
３  本体
３ａ  回転軸
３ｂ  モータ
４  後ガード
５  前ガード
６  固定ピン
１２、２２  側面カバー（周縁部）
１３  係合爪（係合手段）
１４  貫通孔
１５  筐体（支持部）
１６、３１  凸部
１７  段差（固定ピン抜け止め手段）
２６  係合溝（係合手段）
２７  凹部
２８  鉤部
２９  溝（挿入部）
３２  つまみ
【図１】
2013163997.tif 000003
【図２】
2013163997.tif 000004
【図３】
2013163997.tif 000005
【図４】
2013163997.tif 000006
【図５】
2013163997.tif 000007
【図６】
2013163997.tif 000008
【図７】
2013163997.tif 000009
【図８】
2013163997.tif 000010
【図９】
2013163997.tif 000011